(57)【要約】本考案は、ベースと支持部材を備え、前記支持部材は一定の支持枠状であり、前記ベースと接続する貼り紙式壁面支持部材であって、気密性の良くかつ壁と密着に貼り付けられる貼り紙をさらに備え、前記貼り紙が前記ベースと接続し、前記貼り紙の表面が前記ベースの周縁を超えて外周に延出することを特徴とする貼り紙式壁面支持部材を提供する。本考案を実施する貼り紙式壁面支持部材は、貼り紙によって壁と固定し、貼り紙と壁との接触面積がベースの裏面の面積より大きくしかつ貼り紙が壁に貼られるとともに優れた気密閉の効果があるので、本考案の壁面支持部材は壁に堅固にかつ長期に亘って固定できる。また、貼り紙としては、透明な貼り紙或いは表面に形成された各種特殊な印刷がされる貼り紙を利用するので、本考案を実施すると、壁を損傷することがないだけでなく、各種特殊な外観効果も得られる。【実用新案登録請求の範囲】
【請求項１】
ベースと支持部材を備え、前記支持部材は一定の支持枠状であり、前記ベースと接続する貼り紙式壁面支持部材であって、気密性の良くかつ壁と密着に貼り付けられる貼り紙をさらに備え、前記貼り紙が前記ベースと接続し、前記貼り紙の表面が前記ベースの周縁を超えて外周に延出することを特徴とする貼り紙式壁面支持部材。
【請求項２】
前記貼り紙と前記ベースとの間に空気遮断層を配置することを特徴とする請求の範囲第１項に記載した貼り紙式壁面支持部材。
【請求項３】
前記空気遮断層は金属膜層であることを特徴とする請求の範囲第２項に記載した貼り紙式壁面支持部材。
【請求項４】
前記金属膜層はアルミニウム箔層であることを特徴とする請求の範囲第３項に記載した貼り紙式壁面支持部材。
【請求項５】
前記貼り紙は裏面に粘着剤を塗布することを特徴とする請求の範囲第１項または第２項に記載した貼り紙式壁面支持部材。
【請求項６】
前記貼り紙は裏面に流動可能な固態充填物質を覆うことを特徴とする請求の範囲第１項または第２項に記載した貼り紙式壁面支持部材。
【請求項７】
前記貼り紙は裏面に粘着剤が塗布されていない静電気貼り紙であることを特徴とする請求の範囲第１項または第２項に記載した貼り紙式壁面支持部材。
【請求項８】
前記ベースの裏面は平板状であることを特徴とする請求の範囲第１項または第２項に記載した貼り紙式壁面支持部材。
【請求項９】
前記ベースの裏面は壁に向かう突起状であることを特徴とする請求の範囲第１項または第２項に記載した貼り紙式壁面支持部材。
【請求項１０】
前記ベースは、可動ジョイントで接続される複数のベースブロックに分けられることを特徴とする請求の範囲第１項または第２項に記載した貼り紙式壁面支持部材。
【請求項１１】
前記貼り紙は裏面の粘着層と表面のフィルム層を有し、前記ベースは前記粘着層と前記フィルム層との間に固定することを特徴とする請求の範囲第１項または第２項に記載した貼り紙式壁面支持部材。
【請求項１２】
前記貼り紙の正面に摩擦力板をさらに覆い、前記摩擦力板は可動ジョイントにより前記ベースと接続することを特徴とする請求の範囲第１項または第２項に記載した貼り紙式壁面支持部材。
【請求項１３】
前記可動ジョイントはヒンジ構造であることを特徴とする請求の範囲第１２項に記載した貼り紙式壁面支持部材。
【請求項１４】
前記可動ジョイントはカム構造であり、前記カム構造は前記ベースが摩擦力板へ移動する時に、両方を互いに横方向的に移動させることを特徴とする請求の範囲第１２項に記載した貼り紙式壁面支持部材。
【請求項１５】
前記ベースと接続する摩擦力板をさらに配置し、前記摩擦力板は前記貼り紙の面積範囲以外において直接に壁に押し付けられることを特徴とする請求の範囲第１項または第２項に記載した貼り紙式壁面支持部材。
【請求項１６】
前記摩擦力板は壁面への表面に摩擦係数の高い材料を配置することを特徴とする請求の範囲第１５項に記載した貼り紙式壁面支持部材。
【請求項１７】
前記支持部材はバスケット状で、ベースに架設され、前記摩擦力板はバスケット状の支持部材の壁への側面に固定され、貼り紙の下に位置して直接に壁面に貼ることを特徴とする請求の範囲第１５項に記載した貼り紙式壁面支持部材。
【請求項１８】
前記ベースの外周に弾性材料から構成した押えリングを配置し、前記押えリングは内円が貼り紙へ突出する環状であり、前記押えリングの上に、ベースと押えリングを押すための押え板をさらに配置することを特徴とする請求の範囲第１項または第２項に記載した貼り紙式壁面支持部材。
【請求項１９】
貼り紙の正面にベースの回りに回転できる押えローラをさらに配置し、前記ローラは筒状であり、その軸心に軸孔があり、軸孔を通す軸レバーを配置し、前記軸レバーはその一端が比較的に大きくしてローラの抜くことが防止し、その他端が曲がってリングになり、前記リングはベースに嵌め込めて配置されることを特徴とする請求の範囲第１項または第２項に記載した貼り紙式壁面支持部材。
【請求項２０】
前記ローラの筒体は一定の錐形に形成され、前記ローラの軸線及びベースの半径線は所定の角度をもって傾斜させることを特徴とする請求の範囲第１８項に記載した貼り紙式壁面支持部材。
【請求項２１】
前記貼り紙の正面の周縁に反る剥離シートを接続することを特徴とする請求の範囲第１項または第２項に記載した貼り紙式壁面支持部材。
【考案の詳細な説明】
【０００１】
（技術分野）
本考案は、支持部材に関し、特に壁面支持部材に関する。
【０００２】
（背景技術）
壁面支持部材は、壁面に固定され支持部材、品物を支持又は掛けるための装置であり、例えば服掛けホック、洗濯石けん棚及び浴室バスタイルレバーなどである。一般に、従来の壁面支持部材は、ベースと、ベースと接続する支持部材とを含み、前記支持部材は一定の支持枠状であり、品物を支持又は掛けるために適用される。壁面支持部材のベースは、品物を安定的に支持できるために、壁に堅固かつ長期に亘って固定させる必要があり、また、できる限り壁面に対する損傷や悪い影響を少なく与える必要もある。
【０００３】
従来の技術では、ベースが壁に固定される方式として、釘を壁に打ち込むことにより固定することと、吸盤によるマイナス圧で壁に吸着することと、両面テープ又は熱接着剤などで壁に貼り付けること等を含む。但し、釘で壁に打ち込むと壁面を傷つけやすい。吸盤で吸着すると、吸盤の面積に限られ、かつ吸盤の気密性は十分ではないので、吸着力と吸着時間がいずれも好ましくない。両面テープと熱接着剤を利用して壁に貼り付けると、接着力に限定があるので、その固定性も良くない。
【０００４】
本考案は、かかる問題を解決するために、壁に堅固かつ長期に亘って固定できるとともに、壁面に対する損傷や悪い影響も生じない貼り紙式壁面支持部材を提供することを目的とする。
【０００５】
（考案の開示）
本考案は、ベースと支持部材を備え、前記支持部材は一定の支持枠状であり、前記ベースと接続する貼り紙式壁面支持部材であって、気密性の良くかつ壁と密着に貼り付けられる貼り紙をさらに備え、前記貼り紙が前記ベースと接続し、前記貼り紙の表面が前記ベースの周縁を超えて外周に延出することを特徴とする貼り紙式壁面支持部材である。
【０００６】
前記貼り紙は、最も重要な働きは空気密封効果を提供することである。裏面に粘着剤が塗布する又は流動可能な固態（ペースト状或いはゴム状）充填材である紙材、フィルムであってもよいし、裏面に粘着剤が塗布のない表面が非常に平滑である静電気貼り紙であってもよい。ガラス、タイル、プラスチック又は焼き付け塗料（ｂａｋｉｎｇ  ｆｉｎｉｓｈ）等の平滑壁面に対して静電気貼り紙が使用され、普通の壁面に対して裏面に粘着剤を塗布する貼り紙が使用され、荒い壁面に対して、裏面に流動可能の固態充填材のある貼り紙が使用されることにより壁面の凹面を補填でき、壁と密着貼り付けることを実現する。
【０００７】
使用する時に、貼り紙を壁に貼り、裏面の粘着剤又は貼り紙の表面に生じた付着力により貼り紙を壁と密着接触させて優れた気密閉の効果を有する。支持部材に負荷を与える場合は、ベースが力を受けて貼り紙を壁と分離させることによって、その隙間にマイナス圧が形成し、大気圧力の作用でベース及び貼り紙が壁へ押し付けることにより、この支持部材を壁に堅固にかつ長期に亘って固定できる。本考案を実施する貼り紙式壁面支持部材は、貼り紙に介して壁に固定し、貼り紙と壁との接触面積がベースの裏面の面積より大きくて、かつ貼り紙が壁に貼られるとともに優れた気密閉の効果がある。従って、本考案の壁面支持部材は、壁に堅固にかつ長期に亘って固定できる。また、貼り紙として透明な貼り紙或いは表面に形成された各種特殊な印刷がある貼り紙を利用できるので、本考案を実施するには、壁を損傷することがないだけでなく、各種特殊な外観効果も得られる。
【０００８】
（考案を実施するための最良の形態）
本考案の第１実施例では、図１に示すように、貼り紙式壁面支持部材は、貼り紙１０１と、ベース１０２及び支持部材１０３を備える。貼り紙１０１は、４角状で、その正面１１１に各種特殊な印刷を、例えば３Ｄパターン、レーザ効果のパターン等を行う。壁に貼り付けられるように裏面１１２に粘着剤が塗布されている。ベース１０２の裏面は平面状で、貼り紙１０１の正面１１１に粘着される。支持部材１０３はホック状でベース１０２と一体になるように構成される。
【０００９】
貼り紙とベースとの接続方式は多種があり、貼り紙の裏面の粘着層と表面のフイルム層を備え、それによってベースを粘着層とフイルム層との間に固定できる。図２に示すように、本考案の第２実施例では、貼り紙式壁面支持部材は、粘着皮膜２０１と、ベース２０２と、フイルム２１１及び支持部材２０３を備える。粘着皮膜２０１は４角状で、澆性材料で形成され、壁に貼り付けられるようにその裏面に粘着剤が塗布されている。粘着皮膜２０１の前表面に、ベース２０２を収容するように凹溝２１５を設ける。ベース２０２は台形板状であり、ベース２０２に上孔２２１と下孔２２２を配置する。上孔２２１と下孔２２２との下にそれぞれ逆爪２２４と逆爪２２５を配置する。
【００１０】
フイルム２１１のベース２０２における上孔２２１と下孔２２２に対応する位置に、それぞれ貫通孔２１３と貫通孔２１４を配置する。支持部材２０３は、服掛けホックであり、支持部材２０３の裏面に二つ爪、即ち爪２３２と爪２３３を設ける。図３に示すように、それらを組み立てる際に、ベース２０２が粘着皮膜２０１の表面における凹溝２１５に嵌入されて、フイルム２１１と粘着皮膜２０１を貼り付けることによりベース２０２を粘着皮膜２０１の凹溝２１５に固定する。支持部材２０３の裏面にある爪２３２と２３３は、それぞれフイルム２１１の貫通孔２１３と２１４を通してベース２０２の上孔２２１と下孔２２２に掛け、また、逆爪２２４と逆爪２２５により固定される。
【００１１】
研究によって、掛けられた品物が下に墜落することに対抗するために、上に向かう当該品物の重量と同じ力を与えなければならない。大気圧力から水平方向の力、即ち摩擦力と直交方向の力を与える。それにより、ベースとベース下の貼り紙を壁に押し付けて貼り紙と壁との間に上に向かう静摩擦力が生じる。貼り紙の裏面に粘着剤が塗布すれば、その上に向かう力は粘着剤と摩擦力から与える。最大の静摩擦力は品物の重力と同じであれば、品物の落ちることが防止できる。
【００１２】
力を受ける状態に基づく分析によって、板状ベースの縁（左、右、上、下）に摩擦力板を配置し、ベースを摩擦力板と活動可能なジョイントで接続させることで、摩擦効果の改良ができ、摩擦力を増大することができる。前記ジョイントにより摩擦力板と接続するベースが可動であるので、ベースに接続された支持部材に品物をかけるとベースが力を受けて、ベースと接続する貼り紙が壁面と分離する傾向がある。この場合は、摩擦力板が前記ジョイントを介してベースを支えて又は引き止めて、ベースの剥離を防ぐことができる。一方、ベースと摩擦力板を接続するジョイントが曲がり易いので、やや弧度のある表面に対しても密着に結合できる。やや弧度のある表面により良く貼り付けるために、ベースを可動ジョイントで接続される複数のベースブロックに分けてもよい。
【００１３】
前記ジョイントは、曲がれるヒンジ構造であってもよいし、適当なカム構造であってもよい。ジョイントとしてカム構造を使う場合、前記カム構造では、ベースが摩擦力板へ移動する時に両方を互いに横方向的に移動し、ベースとそれに接続される貼り紙とともに壁面と分離させ、摩擦力板を密着に壁に貼り付ける。前記カム構造はスロープ構造又は斜めに設置する押し上げるブロック構造等でもよい。
【００１４】
前記カム構造は、ベースと摩擦力板との境界の中央に配置しなければならない。そのために、カムが作動する時にその作動力が中央に集中して摩擦力板に近づくベースの中央のところを比較高く隆起するとともに、周縁部が壁に近づいている。従って、このようにして、ベースの周縁部に貼り紙が僅かに引くことによって破裂されることが難しくなる。
【００１５】
図４〜図６に示すように、本考案の第３実施例では、貼り紙式壁面支持部材は、貼り紙３０１と、ベース３０２及び支持部材３０３を備える。貼り紙３０１は、４角状の静電気貼り紙を使用する。ベース３０２は平板状で、貼り紙３０１の正面に粘着され、支持部材３０３はベース３０２に接続され、すぐ近くに並列で配置される二つの掛けホックからなる。ベース３０２の上方と下方にそれぞれ上摩擦力板３２２と下摩擦力板３２３を設け、上、下摩擦力板のいずれも貼り紙３０１の正面に粘着される。
【００１６】
上摩擦力板３２２はヒンジ３２１を介してベース３０２と接続する一方、下摩擦力板３２３は斜面状カム構造３２４を介してベース３０２と接続する。ベース３０２と、上摩擦力板３２２及び下摩擦力板３２３に、ベース３０２と、上、下摩擦力板を容易に曲げさせ、弧度のある壁面と完全に着合するように、さらに縦方向凹溝からなるヒンジ３２０、３２６及び３２５を配置する。
【００１７】
図７に示すように、支持部材３０３が力を受けていない場合は、ベース３０２が壁に平らに貼り付けられ、カム構造３２４における上斜面３２４１が未だ下斜面３２４２と接触していない。
【００１８】
図８に示すように、掛けホック３０３が力を受ける場合は、ベース３０２が下方向に移動し、上斜面３２４１が下斜面３２４２の上に滑ってその斜面に沿ってベース３０２とベース３０２に接続する貼り紙３０１を壁３０４から剥離させる。支持部材３０３が力を受ける時にねじりトルクが生じる。
【００１９】
図８に時計方向のトルクは、ベース３０２の上部とベース３０２に接続する貼り紙３０１を壁３０４から剥離させるが、貼り紙３０１がある程度の伸縮性によって貼り紙３０１が引っ張られて、貼り紙３０１と壁３０４との隙間３０５にマイナス圧を生じると共に、摩擦力板３２２及び３２３の下における貼り紙３０１と壁３０４との間にもマイナス圧を生じるので、空気圧より摩擦力板及びその下の貼り紙３０１を壁３０４に堅固に押し付ける。また、貼り紙３０１と壁３０４との間に生じた静摩擦力は、下に向かって滑べることを防ぐ効果があるので、ベース３０２の剥離を防ぐことができる。
貼り紙と壁との間に優れた空気密閉性を保持するために、本考案の装置に貼り紙と壁との間に存在する空気を除去するための押ローラをさらに配置しても良い。
【００２０】
図９〜図１２に示すように、本考案の第４実施例では、貼り紙式壁面支持部材は、貼り紙４０１と、ベース４０２と、摩擦力板４０４と、押えリング４４１と、押えローラ４４２と、押え板４０５と、剥離シート４１３及び保持部材４０３（図１０に示す）を備える。貼り紙４０１は円形で、その外表面４１１とベース４０２が壁面に向かって押えられて、摩擦力板４０４も壁面に向かって押えられて粘着する。貼り紙４０１の内表面に粘着剤が塗布されて壁に貼り付けることができる。ベース４０２は円板状である。ベース４０２の周縁にある弾性帯４２３がリング状の摩擦力板４０４と接続する。
【００２１】
ベース４０２の外周と摩擦力板４０４の内周に相互に合致する斜面を有し、ベース４０２が周方向のいずれの方向に移動して摩擦力板４０４に接触すると、ベース４０２の斜面が摩擦力板４０４の斜面に乗せて、それにより、ベース４０２が突かれて壁から離れる。それに伴って、ベース４０２に接続する貼り紙４０１も壁から離れる。これによって、貼り紙４０１と壁の間にマイナス圧のが生じ、隣接の摩擦力板４０４下の貼り紙４０１と壁との間にも影響を受けてマイナス圧になる。空気圧により摩擦力板４０４が壁に向かって押し付けられ、摩擦力により下へ落ちることを抑えるため、摩擦力板４０４下の貼り紙４０１を堅固に壁に押し付けることができる。
【００２２】
ベース４０２の中央に溝４２４を配置し、ベース４０２の基端にヒンジ４２４１を形成する。図１１に示すように、外力を受けない場合は、溝４２４の上端が近づいてベース４０２の裏面、即ち押え面４２１１を壁に向かって（下へ）突起の形状になって、このように壁に押えて粘着する時にベース４０２の中央部分が先に壁に接触して、貼り紙４０１と壁の間に空気を中央から外へ排出される。
【００２３】
ベース４０２の下表面は中央が曲げるため下に突起形状になる。前記ヒンジ方式の他に、押え面４２１１が下に突出する球面に形成され、押え面４２１１に性材を配置し、かつ押え面４２１１に空室を配置することにより、前記ように、押え面４２１１は中央から外へ平らに押されることができる。
【００２４】
空気が摩擦力板４０４の外周における貼り紙の縁から摩擦力板下に侵入することは、距離がかなり長いので、堅固に貼り紙を貼ることによって気密性を向上するに対して有効である。
【００２５】
摩擦力板４０４の外周側の貼り紙４０１を堅固に貼るために、摩擦力板４０４の外周に、押えリング４４１を配置した。押えリング４４１は、内円が貼り紙４０１へ突出するリング状になり、性部材から、例えば、ばね板から作成される。押えリング４４１を壁へ押すと、その中央部がまず貼り紙４０１を壁に押し貼り、さらに押えリング４４１を押すと、内円が反り出して、押えリングー体を徐徐に反転させる。これによって、貼り紙４０１を中央から外周へ押えリング４４１で連続に押して空気を押し出すことにより、貼り紙４０１を堅固に壁に押し付けることができる。
【００２６】
押えリング４４１の上部に押え板４０５を設け、押え板４０５に、ベース４０２を押すための２本の円弧板状に形成される長ばね４５１と、摩擦力板４０４を押すための２本の短ばね４５２を配置し、押え板４０５の周囲にリング状の押えリブ４５３が設けられ、押えリング４４１の外縁を押すためのものである。このようにして、押え板４０５を押えれば、長ばね４５１が先にベース４０２を平らに押して壁に貼り、続いて短ばね４５２が、摩擦力板４０４を壁面に押して貼り付ける。その後、押えリブ４５３が押えリング４４１を押すことにより、貼り紙４０１と壁の間の空気が連続に中央から外側へ排出される。
【００２７】
壁の表面がフラットではない場合があるので、ベース４０２と、摩擦力板４０４及び押えリング４４１のそれぞれの壁面に向ける表面に軟らかいパッキング材４３１１を覆うことにより、貼り紙４０１を壁に容易に押し付けられる。
【００２８】
貼り紙４０１の外周に近い部分がかなりの範囲があり、全て押えリング４４１で押えると、押えリング４４１を非常に大きく作成する必要がある。それによって、べ一ス４０２に押えローラ４４２をさらに配置する。押えローラ４４２は、円筒状で、その軸心に軸孔４４２２が形成られ、軸孔４４２２に軸レバー４０６を配置する。軸レバー４０６の一端側が大きくすることで押えローラ４４２が抜けることが防止でき、他端側が曲がってリング４６３に接続される。
【００２９】
リング４６３がベース４０２の上に向ける突出の柱状部分４２５に配置される溝４２５１に嵌め込み、それによって、押えローラ４４２がベース４０２の回りに回転できる。円形の経路に円滑に回転させるために、押えローラ４４２の筒体が適当な錐形に形成されるとともに、軸レバー４０６にハンドル４６４を配置する。ハンドル４６４により押えローラ４４２を押し動かすできるとともに、押えローラ４４２に対して圧力を与える。
【００３０】
図１０から分かるように、押えローラ４４２の軸線とベース４０２の半径線と所定の角度で傾斜している。ハンドル４６４を時計方向に回転させると、貼り紙４０１の円心位置に近づくほど、先に押し付けられる一方、円心の位置から遠く離れるほど、後に押し付けられる。それによって、貼り紙と壁との間にある空気が連続に中央から外へ排出される。また、押えローラ４４２の押え面に軟らかい材料を覆うことにより、貼り紙４０１を壁に容易に押し付けられる。
【００３１】
また、貼り紙表面の周縁に反り出した剥離シート４１３を接続し、剥離シート４１３を引くことにより、貼り紙の周縁が引かれて壁から剥離して、全体に壁面支持部材を壁面から取ることができる。試験から、摩擦力板を貼り紙から取り出して直接に壁に貼ると、より効果的に支持部材の落ちることが防止できる。
【００３２】
図１３〜図１５に示すように、本考案の第５実施例では、貼り紙式壁面支持部材は、貼り紙５０１と、ベース５０２と、摩擦力板５０６と、押えリング５４１と、押え板５０５及び支持部材５０３（図１４に示す）を備える。第４実施例と異なるのは、摩擦力板５０６が着脱可能なリンク５３４によりベース５０２と接続し、かつ貼り紙５０１の面積範囲以外において直接に壁５０７に押し付けることである。
【００３３】
貼り紙は、長期に亘って力を受けることにより壁に滑って移動する場合があるので、摩擦力板５０６の表面に摩擦係数の高い材料５３３、例えば発泡ゴム、軟木材等を設ける。組み立てる場合は、摩擦力板と接続するリンクをベースに形成した孔に挿入してベースに固定して、貼り紙式壁面支持部材を壁に貼ってからこの摩擦力板をベースに取り付けても良いし、摩擦力板を予め組み立取り付けて貼り紙式壁面支持部材を壁に貼っても良い。前記の支持部材５０３はベース５０２に接続されても良いし、摩擦力板５０６のリンク５３４に接続されても良い。
【００３４】
押えリング５４１は厚いかつ軟らかいの材料から構成し、内円が貼り紙にに向う突出する環状体である。押えリング５４１は割に厚いので、図１１に示すように押えリブが下に延出必要がなく、短ばねも取り除くことができる。使用する時に押え板５０５でベース５０２が壁５０７へ押えられて、長ばね５５１はまずベース５０２を押して壁に貼る。続いて押えリング５４１が押え板５０５で押えられ、押えリング５４１が圧力を受けて変形して、中央から外周へ徐徐に貼り紙５０１を押して接触する。このようにして、貼り紙５０１と壁５０７の間の空気が連続に中央から外へ排出し、この時、リンク５３４及びベース５０２と接続された摩擦力板５０６は、直接に壁５０７に押し付けられる。
【００３５】
研究から分かるように、ベースが力を受けることにより貼り紙の中央位置に空気をベース及び貼り紙を通過させて貼り紙と壁の間に侵入させることが容易である。従って、特に貼り紙の中央位置の気密性を向上する必要がある。より好ましい気密性が得られるために、気体阻止性が高い材料から作られるベース及び貼り紙を利用する一方、貼り紙の中央位置の表面に空気遮断層を覆う。前記空気遮断層は、金属箔層又はＰＶＤＣ材等から構成する。
【００３６】
図１６に示すように、本考案の第６実施例では、貼り紙式壁面支持部材は、貼り紙６０１と、ベース６０２と、押えリング６４１と、押えローラ６４２と、押え板６０５と、剥離シート６１３及び支持部材６０３を備える。第４実施例と異なるのは、本実施例では、ベース６０２と貼り紙６０１の間にアルミニウム箔層６１１を粘着することである。前記アルミニウム箔層６１１の面積は、ベース６０２の底面積よりやや大きくなっているので、アルミニウム箔層の優れた気体阻止性によって、優れた気密の効果が得られる。前記支持部材６０３はバスケット状でベース６０２に架設される。摩擦力板６０６はバスケット状の支持部材６０３の壁に向かう側面に固定され、貼り紙６０１の下方位置して直接に壁面に貼る。
【００３７】
また、摩擦力板６０６の壁に向かう表面に摩擦力係数の高い摩擦力シート６１６を配置する。バスケット状の支持部材に重い品物を放置する場合は、ベースに対するねじりトルクが生じる。当該ねじりトルクはベースを壁から引くことたげではなく、摩擦力板を壁へ押すことにもなる。寸法に対して正しく設計することにより、摩擦力板と壁の間に比較的に大きな最大静摩擦力を生じさせる。それにより、最大静摩擦力の範囲において品物の重量とバスケット状の支持部材の重量を完全に相殺することができる。このようにして、重力が完全に摩擦力により受けられて、ベースが壁に直交する力のみ受ける。ことによって、本考案に係る新型な貼り紙式壁面支持部材は大きな重力を耐えると共に、壁に堅固かつ長期に亘って固定される。
【図面の簡単な説明】
【図１】図１は、本考案の第１実施例における貼り紙式壁面支持部材の構造を示す概略図である。
【図２】図２は、本考案の第２実施例における貼り紙式壁面支持部材の分解構造を示す概略図である。
【図３】図３は、図２の貼り紙式壁面支持部材が組み立てられた下半部を示す断面図である。
【図４】図４は、本考案の第３実施例における貼り紙式壁面支持部材の一部断面図を含む構造を示す斜視図である。
【図５】図５は、図４の貼り紙式壁面支持部材の下部摩擦力板の裏面を示す概略図である。
【図６】図６は、図４の貼り紙式壁面支持部材のベースと摩擦力板の裏面との逆方向を示す概略図である。
【図７】図７は、図４の貼り紙式壁面支持部材の断面を示す概略図である。
【図８】図８は、図７の貼り紙式壁面支持部材が力を受けた状態を示す概略図である。
【図９】図９は、本考案の第４実施例における貼り紙式壁面支持部材の分解構造を示す概略図である。
【図１０】図１０は、図９の貼り紙式壁面支持部材の一部断面図を含む組み立てる構造を示す概略図である。
【図１１】図１１は、図１０におけるＡ−Ａ断面図である。
【図１２】図１２は、図１１におけるＢ−Ｂの一部の断面図である。
【図１３】図１３は、本考案の第５実施例における貼り紙式壁面支持部材の分解構造を示す概略図である。
【図１４】図１４は、図１３の貼り紙式壁面支持部材の一部断面図を含む組み立てられた構造を示す概略図である。
【図１５】図１５は、図１４におけるＣ−Ｃの断面図である。
【図１６】図１６は、本考案の第６実施例における貼り紙式壁面支持部材の構造を示す概略図である。
【図１】
0003103103.tif 000002
【図２】
0003103103.tif 000003
【図３】
0003103103.tif 000004
【図４】
0003103103.tif 000005
【図５】
0003103103.tif 000006
【図６】
0003103103.tif 000007
【図７】
0003103103.tif 000008
【図８】
0003103103.tif 000009
【図９】
0003103103.tif 000010
【図１０】
0003103103.tif 000011
【図１１】
0003103103.tif 000012
【図１２】
0003103103.tif 000013
【図１３】
0003103103.tif 000014
【図１４】
0003103103.tif 000015
【図１５】
0003103103.tif 000016
【図１６】
0003103103.tif 000017
【手続補正書】
【提出日】平成15年4月14日(2003.4.14)
【手続補正１】
【補正対象書類名】明細書
【補正対象項目名】全文
【補正方法】変更
【補正の内容】
【実用新案登録請求の範囲】
【請求項１】ベースと、支持部材と、優れた気密閉性を有し、壁に密着に貼られる貼り紙を備え、前記支持部材は一定の支持枠状であり、前記ベースと接続し、前記貼り紙は前記ベースと接続し、かつ前記貼り紙の表面が前記ベースの周縁を超えて外周に延出する貼り紙式壁面支持部材であって、前記ベースと接続する摩擦力板をさらに配置し、前記摩擦力板は壁面への表面に摩擦係数の高い材料を配置することを特徴とする貼り紙式壁面支持部材。
紙式壁面支持部材。
【請求項２】前記貼り紙と前記ベースとの間に空気遮断層を配置することを特徴とする請求の範囲第１項に記載した貼り紙式壁面支持部材。
【請求項３】前記空気遮断層は金属膜層であることを特徴とする請求の範囲第２項に記載した貼り紙式壁面支持部材。
【請求項４】前記金属膜層はアルミニウム箔層であることを特徴とする請求の範囲第３項に記載した貼り紙式壁面支持部材。
【請求項５】前記ベースは、可動ジョイントで接続される複数のベースブロックに分けられることを特徴とする請求の範囲第１項または第２項に記載した貼り紙式壁面支持部材。
【請求項６】前記摩擦力板は可動ジョイントにより前記ベースと接続し、前記摩擦力板を前記貼り紙の正面に覆うことを特徴とする請求の範囲第１項または第２項に記載した貼り紙式壁面支持部材。
【請求項７】前記可動ジョイントはヒンジ構造であることを特徴とする請求の範囲第６項に記載した貼り紙式壁面支持部材。
【請求項８】前記可動ジョイントはカム構造であり、前記カム構造は前記ベースが摩擦力板へ移動する時に、両方を互いに横方向的に移動させることを特徴とする請求の範囲第６項に記載した貼り紙式壁面支持部材。
【請求項９】前記摩擦力板は前記貼り紙の面積範囲以外において直接に壁に押し付けられることを特徴とする請求の範囲第１項または第２項に記載した貼り紙式壁面支持部材。
【請求項１０】前記支持部材はバスケット状で、ベースに架設され、前記摩擦力板はバスケット状の支持部材の壁への側面に固定され、貼り紙の下に位置して直接に壁面に貼ることを特徴とする請求の範囲第９項に記載した貼り紙式壁面支持部材。
【請求項１１】前記ベースの外周に弾性材料から構成した押えリングを配置し、前記押えリングは内円が貼り紙へ突出する環状であることを特徴とする請求の範囲第１項または第２項に記載した貼り紙式壁面支持部材。
【請求項１２】前記押えリングの上に、ベースと押えリングを押すための押え板をさらに配置することを特徴とする請求の範囲第１１項に記載した貼り紙式壁面支持部材。
【請求項１３】貼り紙の正面にベースの回りに回転できる押えローラをさらに配置し、前記ローラは筒状であり、その軸心に軸孔があり、軸孔を通す軸レバーを配置し、前記軸レバーはその一端が比較的に大きくしてローラの抜くことが防止し、その他端が曲がってリングになり、前記リングはベースに嵌め込めて配置されることを特徴とする請求の範囲第１項または第２項に記載した貼り紙式壁面支持部材。
【請求項１４】前記ローラの筒体は一定の錐形に形成され、前記ローラの軸線及びベースの半径線は所定の角度をもって傾斜させることを特徴とする請求の範囲第１３項に記載した貼り紙式壁面支持部材。
【請求項１５】前記貼り紙の正面の周縁に反る剥離シートを接続することを特徴とする請求の範囲第１項または第２項に記載した貼り紙式壁面支持部材。
【考案の詳細な説明】
【０００１】
（技術分野）
本考案は、支持部材に関し、特に壁面支持部材に関する。
【０００２】
（背景技術）
壁面支持部材は、壁面に固定され支持部材、品物を支持又は掛けるための装置であり、例えば服掛けホック、洗濯石けん棚及び浴室バスタイルレバーなどである。一般に、従来の壁面支持部材は、ベースと、ベースと接続する支持部材とを含み、前記支持部材は一定の支持枠状であり、品物を支持又は掛けるために適用される。壁面支持部材のベースは、品物を安定的に支持できるために、壁に堅固かつ長期に亘って固定させる必要があり、また、できる限り壁面に対する損傷や悪い影響を少なく与える必要もある。
【０００３】
従来の技術では、ベースが壁に固定される方式として、釘を壁に打ち込むことにより固定することと、吸盤によるマイナス圧で壁に吸着することと、両面テープ又は熱接着剤などで壁に貼り付けること等を含む。但し、釘で壁に打ち込むと壁面を傷つけやすい。吸盤で吸着すると、吸盤の面積に限られ、かつ吸盤の気密性は十分ではないので、吸着力と吸着時間がいずれも好ましくない。両面テープと熱接着剤を利用して壁に貼り付けると、接着力に限定があるので、その固定性も良くない。
【０００４】
また、アメリカ特許５２７５３６７に開示した貼り紙式壁表面支持部材のように、ベースの下に設けられる面積の比較的大きなＰＶＣ貼り紙を介して壁に固定する。支持部材が壁との接触面積が拡大するため吸着力も増大する。また、アメリカ特許４８４２９１２に開示した別の貼り紙式壁表面支持部材のように、面積が比較的大きな貼り紙を介して壁に固定し、かつ貼り紙がサンドイッチ構造とし、ベースが貼り紙に挟まれている。しかしながら、貼り紙の面積と強度に限られているため、それが壁との吸着力も限度がある。従って、全ての壁表面に支持部材が荷重に耐えることも太きく制限される。
【０００５】
本考案は、かかる問題を解決するために、壁に堅固かつ長期に亘って固定できるとともに、壁面に対する損傷や悪い影響も生じない貼り紙式壁面支持部材を提供することを目的とする。
【０００６】
研究によると、掛けられた品物が落ちることを制止するために、当該品物の重量と同じ、上方向への力を与えなければならない。大気圧力は水平方向の力で、即ち摩擦力と直交方向の力を与える。それによって、ベースとベース下の貼り紙を壁に押し付けられて貼り紙と壁の間に上方向への静摩擦力を生じさせる。もし、貼り紙の裏面に接着剤を塗布すれば、その上方向への力は、接着剤と摩擦力から与えられる。最大の静摩擦力は、品物の重力と同じであれば、品物の落ちることが防止できる。力を受ける状態に基づく分析によると、板状ベースの周辺（左、右、上、下）に摩擦力板を配置して、摩擦効果が改良でき、摩擦力が増大できる。
【０００１】
（考案の開示）
従って、本考案は、ベースと、支持部材と、優れた気密閉性を有し、壁に密着に貼られる貼り紙を備え、前記支持部材は一定の支持枠状であり、前記ベースと接続し、前記貼り紙は前記ベースと接続し、かつ前記貼り紙の表面が前記ベースの周縁を超えて外周に延出する貼り紙式壁面支持部材であって、前記ベースと接続する摩擦力板をさらに配置し、前記摩擦力板は壁面への表面に摩擦係数の高い材料を配置することを特徴とする貼り紙式壁面支持部材である。
【０００７】
本考案の貼り紙式壁面支持部材において、前記摩擦力板は可動ジョイントにより前記ベースと接続し、前記摩擦力板を前記貼り紙の正面に覆うことを特徴する。
【０００８】
本考案の貼り紙式壁面支持部材において、前記摩擦力板は前記貼り紙の面積範囲以外において直接に壁に押し付けることを特徴する。
【０００９】
本考案では、前記貼り紙は最も重要な働きは空気密封効果を提供することである。裏面に粘着剤が塗布する又は流動可能な固態（ペースト状或いはゴム状）充填材である紙材、フィルムであってもよいし、裏面に粘着剤が塗布のない表面が非常に平滑である静電気貼り紙であってもよい。ガラス、タイル、プラスチック又は焼き付け塗料（ｂａｋｉｎｇ  ｆｉｎｉｓｈ）等の平滑壁面に対して静電気貼り紙が使用され、普通の壁面に対して裏面に粘着剤を塗布する貼り紙が使用され、荒い壁面に対して、裏面に流動可能の固態充填材のある貼り紙が使用されることにより壁面の凹面を補填でき、壁と密着貼り付けることを実現する。
【００１０】
使用する時に、貼り紙を壁に貼り、裏面の粘着剤又は貼り紙の表面に生じた付着力により貼り紙を壁と密着接触させて優れた気密閉の効果を有する。支持部材に負荷を与える場合は、ベースが力を受けて貼り紙を壁と分離させることによって、その隙間にマイナス圧が形成し、大気圧力の作用でベース及び貼り紙が壁へ押し付けることにより、この支持部材を壁に堅固にかつ長期に亘って固定できる。本考案を実施する貼り紙式壁面支持部材は、ベースと接続する摩擦力板を増加するので、ベースに接続された支持部材が荷重を受けると、摩擦力板と接続するベースが可動であるため、ベースが力を受けることにともなってベースと接続する張り紙が壁面と分離する傾向がある場合は、摩擦力板は、前記ジョイントを介してベースを引き止めて又は押さえつけて、ベースの剥離を防ぐことができる。それによって、貼り紙式壁面支持部材と壁との付着力を向上させ、全ての壁面支持部材の重力を受ける能力も向上させる。
【００１１】
（考案を実施するための最良の形態）
本考案の実施例１では、前記摩擦力板は可動ジョイントにより前記ベースと接続し、前記摩擦力板を前記貼り紙の正面に覆う。前記ジョイントは、曲がれるヒンジ構造であってもよいし、適当なカム構造であってもよい。ジョイントとしてカム構造を使う場合、前記カム構造では、ベースが摩擦力板へ移動する時に両方を互いに横方向的に移動し、ベースとそれに接続される貼り紙とともに壁面と分離させ、摩擦力板を密着に壁に貼り付ける。前記カム構造はスロープ構造又は斜めに設置する押し上げるブロック構造等でもよい。
【００１２】
前記カム構造は、ベースと摩擦力板との境界の中央に配置しなければならない。そのために、カムが作動する時にその作動力が中央に集中して摩擦力板に近づくベースの中央のところを比較高く隆起するとともに、周縁部が壁に近づいている。従って、このようにして、ベースの周縁部に貼り紙が僅かに引くことによって破裂されることが難しくなる。弧度のある表面とより良く貼り付けるために、ベースは可動ジョイントで接続される複数のベースブロックに分けられる。
【００１３】
図１〜図３に示すように、本考案の第１実施例では、貼り紙式壁面支持部材は、貼り紙３０１と、ベース３０２及び支持部材３０３を備える。貼り紙３０１は、４角状の静電気貼り紙を使用する。ベース３０２は平板状で、貼り紙３０１の正面に粘着され、支持部材３０３はベース３０２に接続され、すぐ近くに並列で配置される二つの掛けホックからなる。ベース３０２の上方と下方にそれぞれ上摩擦力板３２２と下摩擦力板３２３を設け、上、下摩擦力板のいずれも貼り紙３０１の正面に粘着される。
【００１４】
上摩擦力板３２２はヒンジ３２１を介してベース３０２と接続する一方、下摩擦力板３２３は斜面状カム構造３２４を介してベース３０２と接続する。ベース３０２と、上摩擦力板３２２及び下摩擦力板３２３に、ベース３０２と、上、下摩擦力板を容易に曲げさせ、弧度のある壁面と完全に着合するように、さらに縦方向凹溝からなるヒンジ３２０、３２６及び３２５を配置する。
【００１５】
図４に示すように、支持部材３０３が力を受けていない場合は、ベース３０２が壁に平らに貼り付けられ、カム構造３２４における上斜面３２４１が未だ下斜面３２４２と接触していない。
【００１６】
図５に示すように、掛けホック３０３が力を受ける場合は、ベース３０２が下方向に移動し、上斜面３２４１が下斜面３２４２の上に滑ってその斜面に沿ってベース３０２とベース３０２に接続する貼り紙３０１を壁３０４から剥離させる。支持部材３０３が力を受ける時にねじりトルクが生じる。
【００１７】
図５に時計方向のトルクは、ベース３０２の上部とベース３０２に接続する貼り紙３０１を壁３０４から剥離させるが、貼り紙３０１がある程度の伸縮性によって貼り紙３０１が引っ張られて、貼り紙３０１と壁３０４との隙間３０５にマイナス圧を生じると共に、摩擦力板３２２及び３２３の下における貼り紙３０１と壁３０４との間にもマイナス圧を生じるので、空気圧より摩擦力板及びその下の貼り紙３０１を壁３０４に堅固に押し付ける。また、貼り紙３０１と壁３０４との間に生じた静摩擦力は、下に向かって滑べることを防ぐ効果があるので、ベース３０２の剥離を防ぐことができる。貼り紙と壁との間に優れた空気密閉性を保持するために、本考案の装置に貼り紙と壁との間に存在する空気を除去するための押ローラをさらに配置しても良い。
【００１８】
図６〜図９に示すように、本考案の第２実施例では、貼り紙式壁面支持部材は、貼り紙４０１と、ベース４０２と、摩擦力板４０４と、押えリング４４１と、押えローラ４４２と、押え板４０５と、剥離シート４１３及び保持部材４０３（図７に示す）を備える。貼り紙４０１は円形で、その外表面４１１とベース４０２が壁面に向かって押えられて、摩擦力板４０４も壁面に向かって押えられて粘着する。貼り紙４０１の内表面に粘着剤が塗布されて壁に貼り付けることができる。
【００１９】
ベース４０２は円板状である。ベース４０２の周縁にある弾性帯４２３がリング状の摩擦力板４０４と接続する。ベース４０２の外周と摩擦力板４０４の内周に相互に合致する斜面を有し、ベース４０２が周方向のいずれの方向に移動して摩擦力板４０４に接触すると、ベース４０２の斜面が摩擦力板４０４の斜面に乗せて、それにより、ベース４０２が突かれて壁から離れる。それに伴って、ベース４０２に接続する貼り紙４０１も壁から離れる。これによって、貼り紙４０１と壁の間にマイナス圧のが生じ、隣接の摩擦力板４０４下の貼り紙４０１と壁との間にも影響を受けてマイナス圧になる。空気圧により摩擦力板４０４が壁に向かって押し付けられ、摩擦力により下へ落ちることを抑えるため、摩擦力板４０４下の貼り紙４０１を堅固に壁に押し付けることができる。
【００２０】
ベース４０２の中央に溝４２４を配置し、ベース４０２の基端にヒンジ４２４１を形成する。図８に示すように、外力を受けない場合は、溝４２４の上端が近づいてべ一ス４０２の裏面、即ち押え面４２１１を壁に向かって（下へ）突起の形状になって、このように壁に押えて粘着する時にベース４０２の中央部分が先に壁に接触して、貼り紙４０１と壁の間に空気を中央から外へ排出される。
【００２１】
ベース４０２の下表面は中央が曲げるため下に突起形状になる。前記ヒンジ方式の他に、押え面４２１１が下に突出する球面に形成され、押え面４２１１に性材を配置し、かつ押え面４２１１に空室を配置することにより、前記ように、押え面４２１１は中央から外へ平らに押されることができる。
【００２２】
空気が摩擦力板４０４の外周における貼り紙の縁から摩擦力板下に侵入することは、距離がかなり長いので、堅固に貼り紙を貼ることによって気密性を向上するに対して有効である。
【００２３】
摩擦力板４０４の外周側の貼り紙４０１を堅固に貼るために、摩擦力板４０４の外周に、押えリング４４１を配置した。押えリング４４１は、内円が貼り紙４０１へ突出するリング状になり、性部材から、例えば、ばね板から作成される。押えリング４４１を壁へ押すと、その中央部がまず貼り紙４０１を壁に押し貼り、さらに押えリング４４１を押すと、内円が反り出して、押えリングー体を徐徐に反転させる。これによって、貼り紙４０１を中央から外周へ押えリング４４１で連続に押して空気を押し出すことにより、貼り紙４０１を堅固に壁に押し付けることができる。
【００２４】
押えリング４４１の上部に押え板４０５を設け、押え板４０５に、ベース４０２を押すための２本の円弧板状に形成される長ばね４５１と、摩擦力板４０４を押すための２本の短ばね４５２を配置し、押え板４０５の周囲にリング状の押えリブ４５３が設けられ、押えリング４４１の外縁を押すためのものである。このようにして、押え板４０５を押えれば、長ばね４５１が先にベース４０２を平らに押して壁に貼り、続いて短ばね４５２が、摩擦力板４０４を壁面に押して貼り付ける。その後、押えリブ４５３が押えリング４４１を押すことにより、貼り紙４０１と壁の間の空気が連続に中央から外側へ排出される。
【００２５】
壁の表面がフラットではない場合があるので、ベース４０２と、摩擦力板４０４及び押えリング４４１のそれぞれの壁面に向ける表面に軟らかいパッキング材４３１１を覆うことにより、貼り紙４０１を壁に容易に押し付けられる。
【００２６】
貼り紙４０１の外周に近い部分がかなりの範囲があり、全て押えリング４４１で押えると、押えリング４４１を非常に大きく作成する必要がある。それによって、ベース４０２に押えローラ４４２をさらに配置する。押えローラ４４２は、円筒状で、その軸心に軸孔４４２２が形成られ、軸孔４４２２に軸レバー４０６を配置する。軸レバー４０６の一端側が大きくすることで押えローラ４４２が抜けることが防止でき、他端側が曲がってリング４６３に接続される。
【００２７】
リング４６３がベース４０２の上に向ける突出の柱状部分４２５に配置される溝４２５１に嵌め込み、それによって、押えローラ４４２がベース４０２の回りに回転できる。円形の経路に円滑に回転させるために、押えローラ４４２の筒体が適当な錐形に形成されるとともに、軸レバー４０６にハンドル４６４を配置する。ハンドル４６４により押えローラ４４２を押し動かすできるとともに、押えローラ４４２に対して圧力を与える。
【００２８】
図７から分かるように、押えローラ４４２の軸線とベース４０２の半径線と所定の角度で傾斜している。ハンドル４６４を時計方向に回転させると、貼り紙４０１の円心位置に近づくほど、先に押し付けられる一方、円心の位置から遠く離れるほど、後に押し付けられる。それによって、貼り紙と壁との間にある空気が連続に中央から外へ排出される。また、押えローラ４４２の押え面に軟らかい材料を覆うことにより、貼り紙４０１を壁に容易に押し付けられる。
【００２９】
また、貼り紙表面の周縁に反り出した剥離シート４１３を接続し、剥離シート４１３を引くことにより、貼り紙の周縁が引かれて壁から剥離して、全体に壁面支持部材を壁面から取ることができる。試験から、摩擦力板を貼り紙から取り出して直接に壁に貼ると、より効果的に支持部材の落ちることが防止できる。
【００３０】
図１０〜図１２に示すように、本考案の第３実施例では、貼り紙式壁面支持部材は、貼り紙５０１と、ベース５０２と、摩擦力板５０６と、押えリング５４１と、押え板５０５及び支持部材５０３（図１１に示す）を備える。第４実施例と異なるのは、摩擦力板５０６が着脱可能なリンク５３４によりベース５０２と接続し、かつ貼り紙５０１の面積範囲以外において直接に壁５０７に押し付けることである。
【００３１】
貼り紙は、長期に亘って力を受けることにより壁に滑って移動する場合があるので、摩擦力板５０６の表面に摩擦係数の高い材料５３３、例えば発泡ゴム、軟木材等を設ける。組み立てる場合は、摩擦力板と接続するリンクをベースに形成した孔に挿入してベースに固定して、貼り紙式壁面支持部材を壁に貼ってからこの摩擦力板をベースに取り付けても良いし、摩擦力板を予め組み立取り付けて貼り紙式壁面支持部材を壁に貼っても良い。前記の支持部材５０３はベース５０２に接続されても良いし、摩擦力板５０６のリンク５３４に接続されても良い。
【００３２】
押えリング５４１は厚いかつ軟らかいの材料から構成し、内円が貼り紙にに向う突出する環状体である。押えリング５４１は割に厚いので、図１１に示すように押えリブが下に延出必要がなく、短ばねも取り除くことができる。使用する時に押え板５０５でベース５０２が壁５０７へ押えられて、長ばね５５１はまずベース５０２を押して壁に貼る。続いて押えリング５４１が押え板５０５で押えられ、押えリング５４１が圧力を受けて変形して、中央から外周へ徐徐に貼り紙５０１を押して接触する。このようにして、貼り紙５０１と壁５０７の間の空気が連続に中央から外へ排出し、この時、リンク５３４及びベース５０２と接続された摩擦力板５０６は、直接に壁５０７に押し付けられる。
【００３３】
研究から分かるように、ベースが力を受けることにより貼り紙の中央位置に空気をベース及び貼り紙を通過させて貼り紙と壁の間に侵入させることが容易である。従って、特に貼り紙の中央位置の気密性を向上する必要がある。より好ましい気密性が得られるために、気体阻止性が高い材料から作られるベース及び貼り紙を利用する一方、貼り紙の中央位置の表面に空気遮断層を覆う。前記空気遮断層は、金属箔層又はＰＶＤＣ材等から構成する。
【００３４】
図１３に示すように、本考案の第４実施例では、貼り紙式壁面支持部材は、貼り紙６０１と、ベース６０２と、押えリング６４１と、押えローラ６４２と、押え板６０５と、剥離シート６１３及び支持部材６０３を備える。第４実施例と異なるのは、本実施例では、ベース６０２と貼り紙６０１の間にアルミニウム箔層６１１を粘着することである。前記アルミニウム箔層６１１の面積は、べ一ス６０２の底面積よりやや大きくなっているので、アルミニウム箔層の優れた気体阻止性によって、優れた気密の効果が得られる。前記支持部材６０３はバスケット状でベース６０２に架設される。摩擦力板６０６はバスケット状の支持部材６０３の壁に向かう側面に固定され、貼り紙６０１の下方位置して直接に壁面に貼る。
【００３５】
また、摩擦力板６０６の壁に向かう表面に摩擦力係数の高い摩擦力シート６１６を配置する。バスケット状の支持部材に重い品物を放置する場合は、ベースに対するねじりトルクが生じる。当該ねじりトルクはベースを壁から引くことたげではなく、摩擦力板を壁へ押すことにもなる。寸法に対して正しく設計することにより、摩擦力板と壁の間に比較的に大きな最大静摩擦力を生じさせる。それにより、最大静摩擦力の範囲において品物の重量とバスケット状の支持部材の重量を完全に相殺することができる。このようにして、重力が完全に摩擦力により受けられて、ベースが壁に直交する力のみ受ける。ことによって、本考案に係る新型な貼り紙式壁面支持部材は大きな重力を耐えると共に、壁に堅固かつ長期に亘って固定される。
【００１１】
【図面の簡単な説明】
【図１】図１は、本考案の第１実施例における貼り紙式壁面支持部材の一部断面図を含む構造を示す斜視図である。
【図２】図２は、図１の貼り紙式壁面支持部材の下部摩擦力板の裏面を示す概略図である。
【図３】図３は、図１の貼り紙式壁面支持部材のベースと摩擦力板の裏面との逆方向を示す概略図である。
【図４】図４は、図１の貼り紙式壁面支持部材の断面を示す概略図である。
【図５】図５は、図４の貼り紙式壁面支持部材が力を受けた状態を示す概略図である。
【図６】図６は、本考案の第２実施例における貼り紙式壁面支持部材の分解構造を示す概略図である。
【図７】図７は、図６の貼り紙式壁面支持部材の一部断面図を含む組み立てる構造を示す概略図である。
【図８】図８は、図７におけるＡ−Ａ断面図である。
【図９】図９は、図８におけるＢ−Ｂの一部の断面図である。
【図１０】図１０は、本考案の第３実施例における貼り紙式壁面支持部材の分解構造を示す概略図である。
【図１１】図１１は、図１０の貼り紙式壁面支持部材の一部断面図を含む組み立てられた構造を示す概略図である。
【図１２】図１２は、図１１におけるＣ−Ｃの断面図である。
【図１３】図１３は、本考案の第４実施例における貼り紙式壁面支持部材の構造を示す概略図である。


【手続補正２】
【補正対象書類名】図面
【補正対象項目名】全図
【補正方法】変更
【補正の内容】
【図１】
0003103103.tif 000018
【図２】
0003103103.tif 000019
【図３】
0003103103.tif 000020
【図４】
0003103103.tif 000021
【図５】
0003103103.tif 000022
【図６】
0003103103.tif 000023
【図７】
0003103103.tif 000024
【図８】
0003103103.tif 000025
【図９】
0003103103.tif 000026
【図１０】
0003103103.tif 000027
【図１１】
0003103103.tif 000028
【図１２】
0003103103.tif 000029
【図１３】
0003103103.tif 000030